(57)【要約】      （修正有）【課題】軽薄で、音質が良く、音量が大きい携帯式電子装置を提供する。【解決手段】携帯式電子装置は、本体部１０及び本体部内に設けられたスピーカー５０を備える。本体部の内部には、導音パイプ３０がさらに設けられ、本体部の両端には、複数の第一音放出孔１１１及び複数の第二音放出孔１１３がそれぞれ設けられる。導音パイプは、第一音放出孔と連通する第一端部３１及び第二音放出孔と連通する第二端部３３を備え、スピーカーは、第一端部に収容される。スピーカーから出た音の一部分は、第一音放出孔を介して携帯式電子装置の外部へ伝送され、スピーカーから出た音の他の部分は、導音パイプの内部で伝送されて第二音放出孔を介して外部へ伝送される。【選択図】図２
0003191789.tif 000002
【実用新案登録請求の範囲】
【請求項１】
本体部と、前記本体部内に設けられたスピーカーと、を備える携帯式電子装置であって、
前記本体部の内部には、導音パイプがさらに設けられており、前記本体部の両端には、複数の第一音放出孔及び複数の第二音放出孔がそれぞれ設けられ、前記導音パイプは、前記複数の第一音放出孔と連通する第一端部及び前記複数の第二音放出孔と連通する第二端部を備え、前記スピーカーは、前記第一端部内に収容され、
前記スピーカーから出た音の一部分は、前記複数の第一音放出孔を介して前記携帯式電子装置の外部へ伝送され、前記スピーカーから出た音の他の部分は、前記導音パイプの内部で伝送され且つ前記複数の第二音放出孔を介して携帯式電子装置の外部へ伝送されることを特徴とする携帯式電子装置。
【請求項２】
前記導音パイプは、直線状の主体部をさらに備え、前記第一端部及び前記第二端部は、前記主体部の両端から前記主体部に対して垂直に延在してなることを特徴とする請求項１に記載の携帯式電子装置。
【請求項３】
前記本体部は、第一ケースを備え、前記複数の第一音放出孔及び前記複数の第二音放出孔は、前記第一ケースの前面の両端部にそれぞれ設けられ、前記スピーカーは、前記複数の第一音放出孔に対面する第一表面を備え、前記スピーカーから出た音の一部分は、前記第一表面を通過して前記複数の第一音放出孔まで伝送されることを特徴とする請求項１または請求項２に記載の携帯式電子装置。
【請求項４】
前記本体部は、前記第一ケースと互いに面するように設けられた第二ケースをさらに備え、前記導音パイプの主体部は、前記第二ケースの内部に密着するように設けられていることを特徴とする請求項３に記載の携帯式電子装置。
【請求項５】
前記スピーカーは、前記第一表面と反対側の面に位置する第二表面をさらに備え、前記スピーカーから出た音の他の部分は、前記第二表面を通過して前記導音パイプの内部に伝送され、前記導音パイプにより伝送される過程において共振を発生し、さらに前記複数の第二音放出孔を介して前記携帯式電子装置の外部へ伝送されることを特徴とする請求項４に記載の携帯式電子装置。
【考案の詳細な説明】
【技術分野】
【０００１】
本考案は、携帯式電子装置に関するものである。
【背景技術】
【０００２】
現在、軽薄で体積が小さい携帯式電子装置は、消費者に好まれている。従来の技術において、通常はマイクロスピーカーを採用して、携帯式電子装置の厚さを低減する。しかし、マイクロスピーカーは、例えば、音質が悪い、又は、音量が小さい等の欠点があるため、携帯式電子装置の中に複数のマイクロスピーカーを設けなければならない。これにより、携帯式電子装置の音量を大きくすることはできるが、携帯式電子装置の体積を増大させてしまう。また、複数のマイクロスピーカーを設けることは、コストアップになり、音質も向上できない。
【考案の概要】
【考案が解決しようとする課題】
【０００３】
本考案は、上記の問題点を考慮してなされたものであり、軽薄で、音質が良く、音量が大きい携帯式電子装置を提供することを目的とする。
【課題を解決するための手段】
【０００４】
上記の目的を達成するために、本考案に係る携帯式電子装置は、本体部及び前記本体部内に設けられたスピーカーを備える。前記本体部の内部には、導音パイプがさらに設けられており、前記本体部の両端には、複数の第一音放出孔及び複数の第二音放出孔がそれぞれ設けられ、前記導音パイプは、前記複数の第一音放出孔と連通する第一端部及び前記複数の第二音放出孔と連通する第二端部を備え、前記スピーカーは、前記第一端部内に収容され、前記スピーカーから出た音の一部分は、前記複数の第一音放出孔を介して前記携帯式電子装置の外部へ伝送され、前記スピーカーから出た音の他の部分は、前記導音パイプの内部で伝送され且つ前記複数の第二音放出孔を介して携帯式電子装置の外部へ伝送される。
【考案の効果】
【０００５】
従来の技術とは異なり、本考案の携帯式電子装置のスピーカーから出た音は、本体部の内部に設けられた導音パイプの内部で伝送される過程において共振を発生する。これにより、携帯式電子装置の音質は良くなり、音量も大きくなる。また、本考案は、携帯式電子装置に１つのマイクロ型のスピーカーのみを装着するので、理想的な音量及び音質を得ることができる。さらに、前記導音パイプは、本体部の内部空間を利用して、本体部のバックケースに密着するように設けられているため、携帯式電子装置の厚さを増加させることはない。
【図面の簡単な説明】
【０００６】
【図１】本考案の実施形態に係る携帯式電子装置の斜視図である。
【図２】図１に示した携帯式電子装置のＩＩ−ＩＩ線に沿った断面図である。
【考案を実施するための形態】
【０００７】
図１及び図２に示すように、本考案の実施形態に係る携帯式電子装置１００は、ノート型パソコン、携帯電話機又は携帯情報端末（ＰＤＡ）等であることができる。
【０００８】
携帯式電子装置１００は、本体部１０、導音パイプ３０、及びスピーカー５０を備える。導音パイプ３０及びスピーカー５０は、全て本体部１０の内部に設けられている。
【０００９】
本体部１０は、互いに対向して配置された第一ケース１１及び第二ケース１３を備える。第一ケース１１は、携帯式電子装置１００のフロントケースである。第二ケース１３は、携帯式電子装置１００のバックケースである。第一ケース１１の前面の両端部には、複数の第一音放出孔１１１及び複数の第二音放出孔１１３がそれぞれ設けられている。第一音放出孔１１１及び第二音放出孔１１３は、スピーカー５０が出した音を本体部１０の外部まで伝送する。
【００１０】
導音パイプ３０は、中空の略「Ｕ」字状の管状構造を有し、直線状の主体部３２と、主体部３２の両端から主体部３２に対して垂直に延在する第一端部３１及び第二端部３３と、を備える。第一端部３１及び第二端部３３は、主体部３２を介して互いに連通している。本体部１０の内部空間を十分に利用して、携帯式電子装置１００の厚さを低減するために、主体部３２は第二ケース１３の内面に密着するように設けられている。
【００１１】
第一端部３１の端部には、複数の第一音放出孔１１１と連通する第一開口が設けられている。第二端部３３の端部には、複数の第二音放出孔１１３と連通する第二開口が設けられている。
【００１２】
スピーカー５０は、導音パイプ３０の第一端部３１内に収容されている。スピーカー５０の第一表面５１は、複数の第一音放出孔１１１と対面するように設けられる。スピーカー５０は、第一表面５１と反対側の面に位置する第二表面５３をさらに備える。
【００１３】
スピーカー５０から出た音の一部分は、第一表面５１から第一音放出孔１１１に伝送され、さらに第一音放出孔１１１を介して携帯式電子装置１００の外部まで伝送される。スピーカー５０が出した音の他の部分は、第二表面５３を通過して導音パイプ３０を介して伝送され、且つ導音パイプ３０の内部で共振され、さらに第二音放出孔１１３を通過して携帯式電子装置１００の外部まで伝送される。導音パイプ３０により伝送される音は共振されるので、当該音の音質が向上するとともに、音量が増大し、それによって、携帯式電子装置１００の音質も良くなり、音量も大きくなる。
【００１４】
複数の第二音放出孔１１３から出た音の音量（Ｍ）は、導音パイプ３０の長さ（Ｌ）及び断面（Ｓ）に関係している。その関係式は、以下のようになる。
【００１５】
【数１】
0003191789.tif 000003
【００１６】
上記の式において、Ｍは第二音放出孔１１３から出た音の音量であり、Ｌは導音パイプ３０の長さであり、Ｓは導音パイプ３０の断面の面積であり、ρは空気の密度である。
【００１７】
本実施形態において、導音パイプ３０の長さ（Ｌ）は、６〜１０ｃｍであり、導音パイプ３０の断面の面積（Ｓ）は、１６〜２０ｃｍ２である。
【００１８】
上記の実施形態から分かるように、スピーカー５０から出た音は、複数の第一音放出孔１１１及び複数の第二音放出孔１１３を通過して、携帯式電子装置１００の外部へ伝送される。その上、声音は導音パイプ３０の内部で伝送される過程において共振が発生することによって、携帯式電子装置１００の音質は良くなり、音量も大きくなる。また、本考案の構造が採用したスピーカー５０は、マイクロスピーカーである。従って、本考案は、携帯式電子装置１００に１つのスピーカー５０のみを装着することで、理想的な音量及び音質を得ることができる。さらに、導音パイプ３０は、本体部１０の内部空間を利用して、第二ケース１３に密着するように設けられているため、携帯式電子装置１００の厚さを増加させない。
【符号の説明】
【００１９】
１０  本体部
１１  第一ケース
１３  第二ケース
３０  導音パイプ
３１  第一端部
３２  主体部
３３  第二端部
５０  スピーカー
５１  第一表面
５３  第二表面
１００  携帯式電子装置
１１１  第一音放出孔
１１３  第二音放出孔
【図１】
0003191789.tif 000004
【図２】
0003191789.tif 000005